(57)【要約】【課題】複数部数の印刷が行われた際に、用紙に識別マークを印刷し、部数毎にグループ分けされる用紙を識別できるようにした画像形成装置を提供する。【解決手段】用紙に画像情報を印刷可能であって、複数枚の原稿を複数部数印刷する際に、それぞれの部数毎にグループ分けされる用紙の周縁の余白部に、グループを識別する識別マークを印刷するプリンタ部と、プリンタ部に用紙を搬送するとともに、プリンタ部で印刷した用紙を排紙部に搬送する搬送部と、を備える。【選択図】図４
2013220659.tif 000002
【特許請求の範囲】
【請求項１】
用紙に画像情報を印刷可能であって、複数枚の原稿を複数部数印刷する際に、それぞれの部数毎にグループ分けされる前記用紙の周縁の余白部に、前記グループを識別する識別マークを印刷するプリンタ部と、
前記プリンタ部に前記用紙を搬送するとともに、前記プリンタ部で印刷した用紙を排紙部に搬送する搬送部と、
を備える画像形成装置。
【請求項２】
前記プリンタ部は、前記用紙の搬送方向の前端部以外の周縁部に、前記グループ毎に前記識別マークの位置をずらして印刷する請求項１記載の画像形成装置。
【請求項３】
前記プリンタ部と前記排紙部との間に、前記プリンタ部によって印刷されたトナー像を前記用紙に定着させる一対のローラと、前記用紙を前記ローラから剥離する剥離爪とを含む定着器を有し、前記用紙の搬送方向の後端部に前記識別マークを印刷する場合に、
前記プリンタ部は、前記剥離爪と対応する位置を避けて前記識別マークを印刷する請求項１記載の画像形成装置。
【請求項４】
前記プリンタ部は、前記識別マークの視覚的特性を前記グループ毎に変えて印刷する請求項１記載の画像形成装置。
【請求項５】
前記プリンタ部は、複数枚の原稿を複数部数両面印刷する場合は、前記グループを識別する識別マークを前記用紙の片面に印刷する請求項１記載の画像形成装置。
【発明の詳細な説明】
【技術分野】
【０００１】
本発明の実施形態は、複数部数印刷したときにグループ分けされた用紙をグループ毎に識別可能にする画像形成装置に関する。
【背景技術】
【０００２】
従来、画像形成装置においては、複数ページの原稿を複数部数印刷して排出することがあるが、部数毎に用紙を区分して排紙するには、画像形成装置に外付けのフィニッシャを装着するか、排紙する際に用紙をフロント側、リア側に振分けて（ソートして）排出する機構が必要であった。
【０００３】
しかしながら、フィニッシャ等のオプションの装置を装着する必要があるため、投資コストがかかり、オプション装置を装着するための設置スペースが必要になるという欠点がある。
【先行技術文献】
【特許文献】
【０００４】
【特許文献１】特開平５−１３９６１０号公報
【発明の概要】
【発明が解決しようとする課題】
【０００５】
発明が解決しようとする課題は、複数部数の印刷が行われた際に、用紙に識別マークを印刷することにより、部数毎にグループ分けされる用紙を識別できるようにした画像形成装置を提供することにある。
【課題を解決するための手段】
【０００６】
実施形態に係る画像形成装置は、用紙に画像情報を印刷可能であって、複数枚の原稿を複数部数印刷する際に、それぞれの部数毎にグループ分けされる前記用紙の周縁の余白部に、前記グループを識別する識別マークを印刷するプリンタ部と、前記プリンタ部に前記用紙を搬送するとともに、前記プリンタ部で印刷した用紙を排紙部に搬送する搬送部と、を備える。
【図面の簡単な説明】
【０００７】
【図１】一実施形態に係る画像形成装置の構成図。
【図２】一実施形態に係る画像形成装置の定着器の一例を示す構成図。
【図３】一実施形態に係る画像形成装置の制御系の構成を示すブロック図。
【図４】一実施形態における識別マークの印刷例を示す説明図。
【図５】一実施形態における識別マークの第２の印刷例を示す説明図。
【図６】一実施形態における定着器４０の剥離爪の配置を示す平面図及び正面図。
【図７】一実施形態における剥離爪の位置と識別マークの印刷位置を示す説明図。
【図８】一実施形態における識別マークの第３の印刷例を示す説明図。
【図９】一実施形態における識別マークの第４の印刷例を示す説明図。
【図１０】一実施形態における識別マークの第５の印刷例を示す説明図。
【図１１】一実施形態における識別マークの第６の印刷例を示す説明図。
【発明を実施するための形態】
【０００８】
以下、発明を実施するための実施形態について、図面を参照して説明する。尚、各図において同一箇所については同一の符号を付す。
【０００９】
（第１の実施形態）
図１は、一実施形態に係る画像形成装置の構成図である。図１において、画像形成装置１０は例えば複合機であるＭＦＰ（Multi-Function Peripherals）や、プリンタ、複写機等である。以下の説明ではＭＦＰを例に説明する。ＭＦＰ１０の本体１１の上部には原稿台があり、原稿台上には自動原稿搬送部（ＡＤＦ）１２を開閉自在に設けている。また本体１１の上部には操作パネル１３を設けている。操作パネル１３は、各種のキーから成る操作パネル１４と、タッチパネル式の表示部１５を有している。
【００１０】
本体１１内のＡＤＦ１２の下部にはスキャナ部１６を設けている。スキャナ部１６は、ＡＤＦ１２によって送られる原稿または原稿台上に置かれた原稿を読み取って画像データを生成する。さらに本体１１内の中央部にはプリンタ部１７を有し、本体１１の下部には、各種サイズの用紙を収容する複数のカセット１８を備えている。プリンタ部１７は、感光体ドラムとレーザ等を含み、スキャナ部１６で読み取った画像データや、ＰＣ（Personal Computer）などで作成された画像データを処理して記録媒体である用紙に画像を定着する。プリンタ部１７によって画像が定着された用紙は、排紙部３８に排出される。
【００１１】
プリンタ部１７は、例えばタンデム方式によるカラーレーザプリンタであり、レーザ露光装置１９からのレーザビームによって感光体を走査して画像を生成するもので、ブラック（Ｋ），イエロー（Ｙ）、マゼンタ（Ｍ）、シアン（Ｃ）の各色の画像形成部２０Ｋ，２０Ｙ，２０Ｍ，２０Ｃを含む。画像形成部２０Ｋ，２０Ｙ，２０Ｍ，２０Ｃは、転写ベルト２１の下側に、上流から下流側に沿って並列に配置している。
【００１２】
各画像形成部２０Ｋ，２０Ｙ，２０Ｍ，２０Ｃは同じ構成であるため、画像形成部２０Ｋを代表にして説明する。画像形成部２０Ｋは、感光体ドラム２２Ｋを有し、感光体ドラム２２Ｋの周囲には帯電チャージャ２３Ｋ、現像装置２４Ｋ、転写ローラ２５Ｋ、クリーナ２６Ｋ等を配置している。画像形成部２０Ｋ，２０Ｙ，２０Ｍ，２０Ｃの上部には、現像装置２４Ｋ，２４Ｙ，２４Ｍ，２４Ｃにトナーを供給するトナーカートリッジ２８を設けている。トナーカートリッジ２８は、ブラック（Ｋ）、イエロー（Ｙ）、マゼンタ（Ｍ）、シアン（Ｃ）の各色のトナーカートリッジ２８Ｋ，２８Ｙ，２８Ｍ，２８Ｃが隣接している。
【００１３】
中間転写ベルト２１は、循環的に移動し、耐熱性及び耐磨耗性の点から例えば半導電性ポリイミドが用いられる。中間転写ベルト２１は、駆動ローラ２９及び従動ローラ３０，３１，３２に張架されている。中間転写ベルト２１は感光体ドラム２２Ｋに対向して接触可能である。中間転写ベルト２１の感光体ドラム２２Ｋに対向する位置には、転写ローラ２５Ｋにより１次転写電圧が印加され、感光体ドラム２２Ｋ上のトナー像は中間転写ベルト２１に１次転写される。
【００１４】
また、中間転写ベルト２１を張架する駆動ローラ２９には、２次転写ローラ３３を対向して配置している。駆動ローラ２９と２次転写ローラ３３間を用紙Ｓが通過する際に、２次転写ローラ３３により２次転写電圧が印加され、中間転写ベルト２１上のトナー像が用紙Ｓに２次転写される。中間転写ベルト２１の従動ローラ３２の付近には、ベルトクリーナ３４を設けている。
【００１５】
また感光体ドラム２２Ｋの露光位置には、レーザ露光装置１９からブラックのレーザビームが照射され、感光体ドラム２２Ｋ上に潜像を形成する。帯電チャージャ２３Ｋは、感光体ドラム２２Ｋの表面を一様に全面帯電する。現像装置２４Ｋは、現像ローラにより各色のトナー及びキャリアからなる二成分現像剤を感光体ドラム２２Ｋに供給する。クリーナ２６Ｋは、ブレードを用いて感光体ドラム２２Ｋの表面の残留トナーを除去する。
【００１６】
レーザ露光装置１９は、半導体レーザ素子から出射されたレーザビームを感光体ドラム２２Ｋの軸線方向に走査するもので、ポリゴンミラー１９Ａ、結像レンズ系１９Ｂ、ミラー１９Ｃ等を含んでいる。
【００１７】
また、給紙カセット１８から２次転写ローラ３３に至る間には、給紙カセット１８内の用紙Ｓを取り出す分離ローラ３５及び搬送ローラ３６、レジストローラ３７を設けており、２次転写ローラ３１の下流には定着器４０を設けている。定着器４０の下流には排紙ローラ３９を設け、用紙Ｓを排紙部３８に排出する。搬送ローラ３６、レジストローラ３７、排紙ローラ３９は、プリンタ部１７に用紙Ｓを搬送するとともに、プリンタ部１７で印刷した用紙を排紙部３８に搬送する搬送部を構成する。
【００１８】
また反転搬送路４１を設けている。反転搬送路４１は、複数のローラ４２を有し、用紙Ｓを反転させて２次転写ローラ３３の方向に導くもので、両面印刷を行う際に使用する。定着器４０を通過した用紙Ｓは、振り分けゲート４３によって排紙部３８又は反転搬送路４１に導かれる。
【００１９】
画像形成部装置１０の動作を簡単に述べる。スキャナ部１６やパソコン端末（ＰＣ）等から画像情報が入力されると、各画像形成部２０Ｋ〜２０Ｃにより、ブラック（Ｋ）、イエロー（Ｙ）、マゼンタ（Ｍ）、シアン（Ｃ）のトナー像が形成され、中間転写ベルト２１上のトナー像が形成された同一位置にブラック（Ｋ）、イエロー（Ｙ）、マゼンタ（Ｍ）、シアン（Ｃ）のトナー像が多重転写され、フルカラートナー像が得られる。
【００２０】
中間転写ベルト２１のフルカラートナー像は２次転写ローラ３１により用紙Ｓ上に一括２次転写される。用紙Ｓは、給紙部１８から２次転写ローラ３３の位置に給紙される。トナー像が２次転写された用紙Ｓは定着器４０に送られ、トナー像を用紙Ｓに定着する。一方、中間転写ベルト２１は、２次転写終了後、ベルトクリーナ３２により残留トナーがクリーニングされる。又感光体ドラム２２は、トナー像を中間転写ベルト２１に１次転写した後、クリーナ２６により残留トナーが除去され、次の画像形成が可能となる。
【００２１】
図２は、定着器４０の一例を示す構成図である。定着器４０は、プレスローラ５１、定着ローラ５２、ヒートローラ５３、定着ベルト５４（定着部材）、剥離爪５５、剥離プレート５６を備える。プレスローラ５１は、定着ローラ５２と対向し、定着ローラ５２とヒートローラ５３間には定着ベルト５４が架けられ、ヒートローラ５３の内部にあるヒータ５３１により定着ベルト５４を加熱する。
【００２２】
例えば、プレスローラ５１を時計回りに回転し、ヒートローラ５３を反時計回りに回転することで、用紙Ｓは、定着ベルト５４とプレスローラ５１間に挟まれて矢印Ａ方向に搬送される。定着ベルト５４は、回転しながら用紙Ｓをプレスローラ５１に圧接するとともに用紙Ｓを加熱し、用紙Ｓ上のトナー像を用紙Ｓに定着させる。
【００２３】
剥離爪５５は、先端部がプレスローラ５１に接触するか、又は僅かな隙間を介してプレスローラ５１に対向し、プレスローラ５１に付着しようとする用紙Ｓをプレスローラ５１から剥離し、用紙Ｓを排紙ローラ３９の方向に向けるように機能する。剥離爪５５は、プレスローラ５１の軸方向に沿って複数個配置している。また剥離プレート５６は板状であり、剥離プレート５６の先端部と定着ベルト５４との間に僅かなギャップがある状態で配置され、剥離プレート５６は、定着ベルト５４に付着するシートを定着ベルト５４から剥離する。
【００２４】
図３は、一実施形態に係る画像形成装置（ＭＦＰ）１０の制御系の構成を示すブロック図である。図３において、ＭＦＰ１０は、主制御部１００と、操作パネル１３と、スキャナ部１６、及びプリンタ部１７を有している。ＭＦＰ１０の制御系は、主制御部１００内のメインＣＰＵ１０１と、操作パネル１３のパネルＣＰＵ１３０と、スキャナ部１６のスキャナＣＰＵ１６０、及びプリンタ部１７のプリンタＣＰＵ１７０の複数のＣＰＵを含み、各ＣＰＵ間で通信を行う。
【００２５】
主制御部１００は、メインＣＰＵ１０１、ＲＯＭ１０２、ＲＡＭ１０３、画像処理部１０４及びＨＤＤ等の記憶部１０５等を含む。メインＣＰＵ１０１は、ＭＦＰ１０の全体の動作を制御するものであり、かつＡＤＦ１２を制御する。ＲＯＭ１０２には、制御プログラムなどが記憶されている。ＲＡＭ１０３は、一時的にデータを記憶するものである。またＲＡＭ１０３には、剥離爪５５の位置情報を記憶している。
【００２６】
画像処理部１０４は、スキャナ部１６で読み取った画像データや、ＰＣ等からの画像データ等を処理し、各種の画像処理、例えば画像の拡大／縮小といった画像変換処理などを行う。
【００２７】
又、記憶部１０５は、スキャナ部１６で読み取った画像データや、ＰＣからの画像データ（文書データや描画イメージデータ等）を圧縮して記憶するものである。記憶部１０５に記憶された画像データは、画像処理部１０４に入力されて各種の画像処理が施され、プリンタ部１７によって用紙に印刷される。またプリンタ部１７は、用紙Ｓの周縁の余白部に識別マーク（後述）を印刷することができる。
【００２８】
操作パネル１３は、メインＣＰＵ１０１に接続されたパネルＣＰＵ１３０と、各種の操作キー１４と液晶等から成る表示部１５を有し、操作キー１４は、印刷部数の指示等を行うテンキー等を含む。表示部１５はタッチパネル機能を有し、用紙サイズ、印刷倍率、片面印刷、両面印刷、識別マークの印刷等の各種の指示を入力する。
【００２９】
スキャナ部１６は、イメージセンサを駆動するＣＣＤドライバを含み、ＣＣＤドライバは、イメージセンサを駆動して原稿の画像を読み取り、画像データに変換する。原稿が複数枚あり、複数部数の印刷を行う場合は、１枚ずつ読取った原稿を画像データに変換し、プリンタ部１７で複数部数印刷することになる。
【００３０】
プリンタ部１７は、プリンタＣＰＵ１７０、レーザ露光装置１９のレーザを駆動するレーザドライバ１７１、用紙Ｐの搬送を制御する搬送制御部１７２、帯電器、現像器、転写器等を制御する制御部１７３、及び定着器４０を制御する定着器制御部１７４等を有し、主制御部１００と協働して用紙に印刷を行う。定着器制御部１７４は、プレスローラ５１や定着ローラ５２、ヒートローラ５３の回転の制御、及びヒートローラ５３のヒータ５３１の温度制御を行う。
【００３１】
次に実施形態に係る識別マークの印刷処理について説明する。例えば、スキャナ部１６で読み取った複数枚の原稿を複数部数印刷する場合、或いはＰＣからの複数枚の画像データ（原稿）を複数部数印刷する場合、原稿の１ページ目からｍページ目までがそれぞれ複数部数印刷され、それぞれの部数毎にグループ分けされて排出される。
【００３２】
しかしながら、印刷した用紙Ｓを排紙部３８にそのまま排出したのでは、１部目、２部目…ｎ部目が区分されない。ソート印刷では、各部数毎にフロント側又はリア側にシフトして排出することで区分できるが、フロント側、リア側に振分けて排出する機構が必要になる。
【００３３】
そこで実施形態では、複数部数印刷する場合にそれぞれの部数毎にグループ分けされる用紙の周縁の余白部に、グループを識別するマークを印刷して排紙部３８に排出するようにしたものである。識別マークは、メインＣＰＵ１０１の制御のもとに画像処理部１０４で生成し、プリンタ部１７で印刷処理する。また識別マークの印刷位置は、予めＲＯＭ１０２に記憶したプログラムで設定してもよいし、ユーザの指示に応じて決定してもよい。また識別マークの形状や色に関する情報をＲＡＭ１０３に記憶しておき、ユーザの指示に応じて任意の識別マークを選択できるようにしている。
【００３４】
図４は、複数部数印刷したときの識別マークの印刷例を示す説明図である。例えば複数枚（ｍ枚）の原稿を複数部数（ｎ部）印刷する場合、用紙の周縁部の余白部に識別マークを印刷する。図４では、１部目、２部目、３部目…ｎ部目の用紙群Ｓ１、Ｓ２、Ｓ３…Ｓｎに識別マーク６１，６２，６３…６ｎを印刷した例を示している。尚、以下の説明で、識別マーク６１，６２，６３…６ｎを総称する場合は、識別マーク６０と呼ぶ。
【００３５】
識別マーク６１，６２，６３…６ｎは、例えば、用紙の周縁部の余白部（点線７１の外側）の、排出方向の後端部に印刷し、各識別マーク６１，６２，６３…６ｎは、１部目、２部目、３部目…ｎ部目ごとに印刷位置をずらしている。図３では、説明を分かり易くするため、排紙部３８に、１部目、２部目、３部目…ｎ部目ごとに区分された用紙群Ｓ１，Ｓ２，Ｓ３…Ｓｎが排出された状態を示しているが、実際には、排紙部３８に用紙が積載して排出される。
【００３６】
用紙群Ｓ１，Ｓ２，Ｓ３…Ｓｎは、それぞれ原稿の１ページ目からｍページが印刷された用紙である。そして排紙部３８に排出された用紙には、グループ（用紙群Ｓ１，Ｓ２，Ｓ３…Ｓｎ）ごとに異なる位置（距離Ｌ１ずつシフトした位置）に識別マーク６１，６２，６３…６ｎが印刷される。
【００３７】
また図５に示すように、識別マーク６１，６２，６３…６ｎを、例えば、用紙の余白部（点線７１の外側）の、搬送方向のリア側に印刷し、グループ（用紙群Ｓ１，Ｓ２，Ｓ３…Ｓｎ）ごとに異なる位置（距離Ｌ２ずつシフトした位置）に印刷することもできる。また図５では、識別マーク６１，６２，６３…６ｎを、用紙の余白部（点線７１の外側）の内、搬送方向のリア側に印刷しているが、フロント側に印刷することもできる。
【００３８】
識別マーク６０の印刷は、ユーザが操作パネル１３を操作して、識別マークの印刷を指示したときに行われ、識別マークを６０の印刷位置（用紙Ｓの後端部かリア側又はフロント側か）は、操作パネル１３を操作してユーザによって選択することができる。
【００３９】
上述したように、実施形態の概念は、グループ毎に識別マーク６１，６２，６３…６ｎを印刷するものであるが、以下、識別マーク６０の幾つかの印刷例について説明する。
【００４０】
図６は、定着器４０のプレスローラ５１、定着ローラ５２及び剥離爪５５の配置を示す図である。図６（ａ）は平面図であり、（ｂ）は正面図である。剥離爪５５は、先端部がプレスローラ５１に対向し、プレスローラ５１に付着しようとする用紙Ｓを剥離するものであるが、剥離爪５５は、図６（ａ）に示すように、プレスローラ５１の軸方向に沿って複数個配置している。
【００４１】
したがって、図４に示すように用紙に識別マーク６０を用紙に印刷する場合は、剥離爪５５と対応する位置を避けて識別マークを印刷する。また識別マーク６０を用紙の前端部に印刷すると、用紙がプレスローラ５１から剥離しにくくなるため、用紙Ｓの搬送方向Ａの後端部に印刷する。剥離爪５５の位置はＲＡＭ１０３に記憶されているため、識別マーク６０を印刷する際に剥離爪５５と対応する位置を避けるようにすることは容易である。
【００４２】
図７は、剥離爪５５と用紙Ｓへの識別マーク６０の印刷位置を説明する図である。図７において、用紙Ｓの搬送方向をＡで示し、搬送方向の後端部に識別マーク６１，６２，６３…６ｎを印刷する。識別マーク６１，６２，６３…６ｎは、グループ毎にずらした位置に印刷するが、剥離爪５５と対応する位置には識別マーク６０を印刷しないようにする。
【００４３】
即ち、定着部４０に剥離爪５５がある場合は、多数枚の印刷を行うことで識別マークと同位相の定着ベルト、プレスローラ部分が汚れやすくなり、その結果、剥離爪の先端が汚れ易くなることから、剥離性能が低下したり、又は剥離爪の先端の汚れが画像に落下し用紙を汚してしまう可能性がある。したがって、剥離爪５５に対応する位置には識別マークを印刷しないようにすると良い。こうして剥離爪５５の位置を避け、かつ用紙の後端部に識別マーク６０を印刷することにより、剥離性を向上しかつ用紙の汚れを防止することができる。
【００４４】
尚、剥離爪５５を、用紙Ｓのリア側又はフロント側の端部に設けると、用紙Ｓの前端部の角が剥離爪５５に引っかかりやすいため、一般的に、剥離爪５５は用紙Ｓのリア側又はフロント側の端部に対応する位置には設けていない。したがって、図５に示すように、用紙Ｓのリア側（又はフロント側）の余白部に識別マークを印刷する場合は、剥離爪５５が対応しないため、任意の位置に印刷することができる。
【００４５】
図８は、識別マーク６１，６２，６３…６ｎの他の印刷例を示す説明図である。図８では、識別マーク６１，６２，６３…６ｎの視覚的特性をグループ毎に変えて印刷する例であり、例えば識別マーク６１，６２，６３…６ｎの色を変えた例である。識別マーク６１，６２，６３…６ｎの色を変えることにより、グループの識別が一層容易にできる。
【００４６】
カラー機であれば、色と濃度を調整する機能を有することで、識別マーク６１，６２，６３…６ｎの色を変えることができる。また色の濃度を濃くすることで識別マーク６０を目立つようにすることもできる。逆に、印刷物の識別マーク６０が気になる場合は、例えば黄色のような淡い色で識別マーク６０を印刷することにより目立たなくすることができる。したがって、ユーザが識別可能な濃度、色を選択できるようにすると良い。さらに、識別マーク６０の色を変える以外に、モノクロ印刷し、濃度を変えて黒、灰、白等で印刷しても良い。
【００４７】
図９は、識別マーク６１，６２，６３…６ｎの色を変えた例であるが、識別マーク６１，６２，６３…６ｎの位置をグループ毎にシフトせず、同じ位置に印刷した例である。グループを色で識別できるため、印刷位置は同じであっても良い。
【００４８】
図１０は、識別マーク６１，６２，６３…６ｎの位置をシフトし、かつ識別マーク６１，６２，６３…の視覚的特性をグループ毎に変えて印刷する例であり、例えば、識別マーク６１，６２，６３…６ｎの形状を変えた例である。形状を、台形、三角、四角等に変えることで、グループを形状で識別することができる。
【００４９】
図１１は、印刷部数が多い場合の識別マーク６０の印刷例を示す。印刷部数が多い場合は、識別マーク６１，６２，６３…６ｎの位置を順次にずらすと、用紙からはみ出すため、最初の位置に戻って識別マーク６ｎ１…を印刷する。この場合、一巡目と二巡目の識別マーク６１と６ｎ１の位置をずらすとよい。図１１では、一巡目と二巡目の識別マーク６１と６ｎ１の位置を距離Ｌ０だけずらした例を示している。
【００５０】
尚、図８〜図１１では、用紙Ｓの後端部に識別マーク６１，６２，６３…６ｎを印刷する例を説明したが、図８〜図１１の例は、用紙Ｓのリア側（又はフロント側）の端部に識別マーク６１，６２，６３…６ｎを印刷する場合にも適用することができる。
【００５１】
また複数部数印刷したときに、各グループの表紙（１ページ目）については識別マーク６０を印刷せず、次ページから識別マーク６０を印刷するようにしても良い。各グループの表紙に識別マークが印刷されないため、表紙を綺麗に見せることができる。
【００５２】
さらに、両面印刷を行う場合は、用紙の片面（表面又は裏面）のみに識別マーク６０を印刷するとよい。片面のみに識別マーク６０を印刷することで、不要な印刷を避けることができる。
【００５３】
以上述べた実施形態によれば、複数部数の印刷を行った場合に、識別マークによって各グループの用紙群を識別することができるため、ソート機構やフィニッシャ等のオプション装置を必要とせず、グループを識別することができる。また識別マークの視覚的特性（色や形状）をグループ毎に変えることにより、より一層グループを識別することができる。
【００５４】
尚、本発明のいくつかの実施形態を述べたが、これらの実施形態は、例として提示したものであり、発明の範囲を限定することは意図していない。これらの実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００５５】
１０…画像形成装置
１３…操作パネル
１６…スキャナ部
１７…プリンタ部
３８…排紙部
３９…排出ローラ
４０…定着器
５１…プレスローラ
５２…定着ローラ
５５…剥離爪
６１〜６ｎ…識別マーク
【図１】
2013220659.tif 000003
【図２】
2013220659.tif 000004
【図３】
2013220659.tif 000005
【図４】
2013220659.tif 000006
【図５】
2013220659.tif 000007
【図６】
2013220659.tif 000008
【図７】
2013220659.tif 000009
【図８】
2013220659.tif 000010
【図９】
2013220659.tif 000011
【図１０】
2013220659.tif 000012
【図１１】
2013220659.tif 000013